(57)【要約】【課題】カードを確実に排出でき、カードの異常な飛び出しを抑えること。【解決手段】カード１１を排出するイジェクト機構は、前記カード１１とともに嵌合方向Ａ及び排出方向Ｂへ移動するスライダ部材４と、該スライダ部材４を前記排出方向へ付勢している弾性部材５と、前記スライダ部材４に当接している押圧部材２１とを有し、前記スライダ部材４は前記カード１１を接続した第１の位置と前記カード１１を排出させた第２の位置との間でスライド自在になっており、前記第１の位置における前記押圧部材２１との当接力を前記第２の位置における前記押圧部材２１との当接力に対して高く設定するカム部４Ａ１を有している。【選択図】図１
2005268089.tif 000002
【特許請求の範囲】
【請求項１】
カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、
前記イジェクト機構は、前記カードとともに前記嵌合方向及び前記排出方向へ移動するスライダ部材と、該スライダ部材を前記排出方向へ付勢している弾性部材と、前記スライダ部材に当接している押圧部材とを有し、
前記スライダ部材は前記コンタクトに前記カードを接続した状態の第１の位置と前記カードを排出させた第２の位置との間でスライド自在になっており、前記第１の位置における前記押圧部材との当接力を前記第２の位置における前記押圧部材との当接力に対して高く設定するカム部を有していることを特徴とするカード用コネクタ。
【請求項２】
請求項１記載のカード用コネクタにおいて、前記カム部に対向するように前記インシュレータに設けたカバー部材を有し、前記押圧部材は前記カバー部材に一端が接続されており、前記押圧部材の自由端部が前記カム部に当接しており、前記カム部は前記押圧部材の前記自由端部が当接する部分が前記押圧部材との当接力に対して高くなるように傾斜している傾斜面を有していることを特徴とするカード用コネクタ。
【請求項３】
カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、
前記イジェクト機構は、前記カードとともに前記嵌合方向及び前記排出方向へ移動するスライダ部材と、該スライダ部材を前記排出方向へ付勢している弾性部材と、前記スライダ部材とともに移動するように前記スライダ部材に設けた押圧部材と、該押圧部材と当接する当接部とを有し、
前記スライダ部材は、前記コンタクトに前記カードを接続した状態の第１の位置とカードを排出させた状態の第２の位置との間でスライド自在になっており、前記当接部は前記第１の位置における前記押圧部材との当接力を前記第２の位置における押圧部材との当接力に対して高く設定するよう前記嵌合方向から前記排出方向へ傾斜している傾斜面を有していることを特徴とするカード用コネクタ。
【発明の詳細な説明】
【技術分野】
【０００１】
本発明は、カードを排出するためのイジェクト機構を備えているカード用コネクタに属する。
【背景技術】
【０００２】
カード用コネクタとしては、弾性を変形させて得られる荷重により、小型のカードを押し出し排出するものがある。コネクタは、弾性力が強すぎると、操作の仕方によってカードが勢い良く飛び出すという障害が発生する。そのため、カードの飛び出しを抑えるためには、ブレーキを設けて摩擦力を作用させることが行われている（特許文献１を参照）。
【０００３】
【特許文献１】特開２００１−５２８１２号公報
【発明の開示】
【発明が解決しようとする課題】
【０００４】
特許文献１におけるカード用コネクタは、カードを排出する過程で摩擦力が一定であり、ブレーキを強く作用させると弾性反力が強い排出初期はよいが、弾性反力が弱まる排出後半にカードが排出されない危険がある。よって、効果的にブレーキを強くすることが困難である。
【０００５】
それ故に、本発明の課題は、カードを排出する過程でブレーキ力を変化させることにより、効果的なブレーキをかけることによりカードの飛び出しを抑えることができるカード用コネクタを提供することにある。
【課題を解決するための手段】
【０００６】
本発明によれば、カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、前記イジェクト機構は、前記カードとともに前記嵌合方向及び前記排出方向へ移動するスライダ部材と、該スライダ部材を前記排出方向へ付勢している弾性部材と、前記スライダ部材に当接している押圧部材とを有し、前記スライダ部材は前記コンタクトに前記カードを接続した状態の第１の位置と前記カードを排出させた第２の位置との間でスライド自在になっており、前記第１の位置における前記押圧部材との当接力を前記第２の位置における前記押圧部材との当接力に対して高く設定するカム部を有していることを特徴とするカード用コネクタが得られる。
【０００７】
また、本発明によれば、カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、前記イジェクト機構は、前記カードとともに前記嵌合方向及び前記排出方向へ移動するスライダ部材と、該スライダ部材を前記排出方向へ付勢している弾性部材と、前記スライダ部材とともに移動するように前記スライダ部材に設けた押圧部材と、該押圧部材と当接する当接部とを有し、前記スライダ部材は、前記コンタクトに前記カードを接続した状態の第１の位置とカードを排出させた状態の第２の位置との間でスライド自在になっており、前記当接部は前記第１の位置における前記押圧部材との当接力が前記第２の位置における押圧部材との当接力に対して高くなるように前記嵌合方向から前記排出方向へ傾斜している傾斜面を有していることを特徴とするカード用コネクタが得られる。
【発明の効果】
【０００８】
本発明のカード用コネクタでは、排出力の強いカード排出初期の摩擦力を高め、排出力の弱い後半は摩擦力を弱めるなど嵌合・排出方向で摩擦力を変えることができるので、イジェクト動作に設計的な意図を反映することができ、さらに確実にカードを排出できかつカードの異常な飛び出しを抑えることができる。
【０００９】
また、本発明のカード用コネクタでは、押圧部材がカードに直接当接してないため、カードを傷つけることがない。
【発明を実施するための最良の形態】
【００１０】
本発明のカード用コネクタは、カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、前記イジェクト機構は、前記カードとともに前記嵌合方向及び前記排出方向へ移動するスライダ部材と、該スライダ部材を前記排出方向へ付勢している弾性部材と、前記スライダ部材に当接している押圧部材とを有し、前記スライダ部材は前記コンタクトに前記カードを接続した状態の第１の位置と前記カードを排出させた第２の位置との間でスライド自在になっており、前記第１の位置における前記押圧部材との当接力を前記第２の位置における前記押圧部材との当接力に対して高く設定するカム部を有していることにより実現した。
【００１１】
また、本発明のカード用コネクタは、カードと接続する導電性のコンタクトと、該コンタクトを保持したインシュレータと、該インシュレータに前記カードを嵌合方向に挿入して嵌合させた前記カードを前記嵌合方向とは逆向きの排出方向へ排出するイジェクト機構とを含むカード用コネクタにおいて、前記イジェクト機構は、前記カードとともに前記嵌合方向及び前記排出方向へ移動するスライダ部材と、該スライダ部材を前記排出方向へ付勢している弾性部材と、前記スライダ部材とともに移動するように前記スライダ部材に設けた押圧部材と、該押圧部材と当接する当接部とを有し、前記スライダ部材は、前記コンタクトに前記カードを接続した状態の第１の位置とカードを排出させた状態の第２の位置との間でスライド自在になっており、前記当接部は前記第１の位置における前記押圧部材との当接力が前記第２の位置における押圧部材との当接力に対して高くなるように前記嵌合方向から前記排出方向へ傾斜している傾斜面を有していることにより実現した。
【実施例１】
【００１２】
以下、本発明に係るカード用コネクタの実施例１について図面を参照して説明する。図１は、実施例１におけるカードを接続する前のカード用コネクタ（以下、コネクタと呼ぶ）を示している。図２は、図１に示したスライダ部材を示している。
【００１３】
図１及び図２を参照して、コネクタ１は、インシュレータ２と、インシュレータ２に固定されている導電性の複数のコンタクト３と、イジェクト機構と、コンタクト３が設けられているインシュレータ２の一面に対向するようにインシュレータ２に保持しているカバー部材８とを備えている。
【００１４】
インシュレータ２は、カード１１を収容する収容部２ａが形成されている。各コンタクト３は、収容部２ａの奥部に設けられている。各コンタクト３の一端側には、接点部３Ａが形成されており、他端側に平坦接点部３Ｂが形成されている。接点部３Ａは、カード１１が収容部２ａに挿入されてインシュレータ２に嵌合したときにカード１１の接点部（図示せず）に接触する。
【００１５】
イジェクト機構は、図３に示すように、カード１１がインシュレータ２に嵌合してコンタクト３に接続する嵌合方向Ａとは逆向きの排出方向Ｂへカード１１を排出するように構成されている。イジェクト機構は、カード１１とともに嵌合方向Ａ及び排出方向Ｂへ移動するスライダ部材４と、スライダ部材４を排出方向Ｂへ付勢している弾性部材５と、カード１１を排出する時にカード１１の飛び出しを防止するようにインシュレータ２に設けられている板バネ形状の押圧部材２１とを有している。
【００１６】
押圧部材２１は、スライダ部材４に当接している。スライダ部材４は、図３に示したカード１１とコンタクト３が接続している第１の位置と、図１に示したカード１１を排出させた第２の位置との間でスライド自在になっている。スライダ部材４は、嵌合方向Ａ及排出方向Ｂに延びているスライダ部４Ａと、嵌合方向Ａ側の端部から嵌合方向Ａを直交する方向へ延びているカード当接部４Ｂとを有している。
【００１７】
カード当接部４Ｂは、嵌合方向Ａ側におけるカード１１の先端面に当接する。さらに、スライダ部材４は、第１の位置における押圧部材２１との当接力が第２の位置における押圧部材２１との当接力に対して高くなるカム部４Ａ１を有している。
【００１８】
カバー部材８には、押圧部材２１が形成されている。押圧部材２１は、カバー部材８に一端が接続されており、一端から排出方向Ｂへ延びている押圧部材２１の自由端部２１aがカム部４Ａ１に当接している。押圧部材２１の自由端部２１ａに当接するカム部４Ａ１は、スライダ部４Ａの上面において押圧部材２１との当接力に対して排出方向Ｂへ高くなるように傾斜している傾斜面４ａと、嵌合方向Ａ側におけるスライダ部４Ａの上面よりも高い位置となる段差面４ｂとが形成されている。
【００１９】
スライダ部材４は、押圧部材２１によって押し付けられ、図１に示した第１の位置で押圧力Ｆ１を発生させている。図３に示した第２の位置では、スライダ部材４が押圧部材２１によって押し付けられているが、図１に示した状態と比較して弾性部材５の変形量が大きいときであって、押圧力Ｆ２を発生させている。ここで、スライダ部材４がカム部４Ａ１へ接触している位置を比較すると、図１に示した状態の方が押圧部材２１の変形量が小さく、押圧力Ｆ１及び摩擦力が小さい。
【００２０】
以下に、図４に示したカム部４を持たないスライダ部材４′を有するコネクタ１′と、図１に示したコネクタ１との弾性部材５の変形反力Ｐと摩擦力Ｓの関係を図５により説明する。なお、図４に示したコネクタ１′では、スライダ部材４′がインシュレータ２′に設けられており、押圧部材２１′がカバー部材８′の中央部に形成されており、カード１１′に押圧部材２１′の自由端部２１ａ′が直接当接している。
【００２１】
図５に示すように、各弾性部材５，５′の変形量Ｑと変形反力とは比例する。実施例１におけるカム部４の設計では、カード１１の変形反力Ｐが大きい時に摩擦力Ｓが大きく、変形反力Ｐが小さいときに摩擦力Ｓを小さく設定することにより、常に、略一定の排出力をカード１１に作用させることができる。
【００２２】
図６は、摩擦力Ｓ１，Ｓ２が一定の場合の弾性部材５，５′の変形反力Ｐと摩擦力Ｓ１，Ｓ２との関係を示している。変形反力Ｐは、図５に示した弾性部材５，５′の変形量Ｑと同じであるが、摩擦力Ｓ１，Ｓ２は一定であり横軸と並行である。摩擦力Ｓ１の設定の場合、変形量Ｑが大きいときは、摩擦力Ｓ１が効果的に作用するが、変形量Ｑが小さいときは、変形反力Ｐが摩擦力Ｓ１を下回り、カード１１が排出されない。一方、摩擦力Ｓ２の設定の場合、カード１１′が排出されないことはないが、摩擦力Ｓ２がほとんど作用しない。
【実施例２】
【００２３】
図７は、カードが嵌合している状態のコネクタの実施例２を示している。図８は、図７に示したコネクタに採用しているスライダ部材と押圧部材とを示している。図９及び図１０は、カバー体を示している。
【００２４】
図７乃至図１０を参照して、コネクタ４１は、インシュレータ４２と、インシュレータ４２に固定されている導電性の複数のコンタクト４３と、イジェクト機構と、コンタクト４３が設けられているインシュレータ４２の一面に対向するようにインシュレータ４２に保持しているカバー部材４８とを備えている。
【００２５】
イジェクト機構は、図３に示したカード４５を嵌合してコンタクト４３に接続する嵌合方向Ａとは逆向きの排出方向Ｂへカード４５を排出するように構成されている。イジェクト機構は、カード４５とともに嵌合方向Ａ及び排出方向Ｂへ移動するスライダ部材４４と、スライダ部材４４を排出方向Ｂへ付勢している弾性部材４５と、カード４５を排出する時にカード４５の飛び出しを防止するようにスライダ部材４４に設けられている押圧部材（バネ部）５１と、押圧部材５１の自由端部５１ａに当接するようにカバー部材４８に形成されている当接部６１とを有している。
【００２６】
当接部６１は、図９及び図１０に示すようにカバー部材４８の天板部４８ａを切り欠いて内側に曲げ加工を施すことによって形成されている。当接部６１は、スライダ部４４Ａに対して嵌合方向Ａ側から排出方向Ｂへ離れるように位置している。
【００２７】
スライダ部材４４は、図７に示したように、カード４５とコンタクト４３とが接続する第１の位置と、図１１に示すようにカード４５を排出させた状態の第２の位置との間でスライド自在になっており、嵌合方向Ａ及排出方向Ｂに延びているスライダ部４４Ａと、嵌合方向Ａ側の端部から嵌合方向Ａを直交する方向へ延びているカード当接部４Ｂとを有している。
【００２８】
スライダ部材４４は、第１の位置における押圧部材５１との当接力が第２の位置における押圧部材５１との当接力に対して高くなるように当接部６１に当接している。押圧部材２１は、排出方向Ｂにおける一端がスライダ部４４Ａの上面で一部に固定されており、嵌合方向Ａにおける押圧部材５１の自由端部５１ａが当接部６１に当接している。当接部６１は、押圧部材５１によって押し付けられて、図７に示した第１の位置で押圧力Ｆ２を発生させている。図１１に示した第２の位置では、スライダ部材４４が押圧部材５１によって押されているが、図７に示した状態と比較して弾性部材４５の変形量が大きいときであって、押圧力Ｆ１を発生させている。ここで、押圧部材５１が当接部６１へ接触している位置を比較すると、図７に示した状態の方が押圧部材６１の変形量が大きく、押圧力Ｆ２及び摩擦力が大きい。
【００２９】
したがって、イジェクト機構は、カード４５とともに嵌合方向Ａ及び排出方向Ｂへ移動するスライダ部材４４を排出方向Ｂへ付勢している弾性部材４５によってカード１１を排出する時に、押圧部材５１と当接部６１とによってカード４５の飛び出しを防止することが可能である。
【００３０】
以下に、実施例１及び２におけるコネクタを適用できるカード用コネクタを図１２により説明する。なお、コネクタの説明では、実施例１におけるコネクタの各部品と同じ符号を付して説明することにする。
【００３１】
図１２を参照して、コネクタ１は、インシュレータ２と、インシュレータ２に固定された複数のコンタクト３と、インシュレータ２のフレーム部２Ａに装着されるスライダ部材４と、イジェクトバー４を排出方向へ常時付勢する弾性部材５と、スライダ部材４に形成されたハートカム４Ｃにガイドされるカムフォロア６とから構成される。
【００３２】
カード１１（図３を参照）は、コネクタ１に挿入され、また、コネクタ１から排出される。インシュレータ２は、フレーム部２Ａ，２Ｂ，２Ｃとによって構成されている。各コンタクト３には、一端側に接点部３Ａが形成されており、他端側に平坦接点部３Ｂが形成されている。スライダ部材４は、スライダ部４Ａとカード当接４Ｂとを有している。
【００３３】
スライダ部４Ａの一面には、ハートカム４Ｃが形成されている。カード当接部４Ｂには、カード１１の先端が当接する。イジェクトバー４のガイド部４Ａは、フレーム部２Ａに形成された溝（図示せず）内にスライド可能に収容され、ガイド部４Ａの一面に形成された溝４Ｅ内に弾性部材５が挿入される。
【００３４】
弾性部材５の一端は、スライダ部材４に圧接し、他端は、フレーム部２Ｃの内面に圧接する。したがって、スライダ部材４は、弾性部材５によってカード１１をコネクタ１から排出する排出方向へ常時付勢されている。
【００３５】
カムフォロア６は、バー状に形成され、フレーム部２Ａの外側に形成された切り欠き部２Ｄ内に所定角度回動可能に配置される。カムフォロア６の基部に形成された穴６Ａは、フレーム部２Ａに形成された軸２Ｅにはまっている。また、カムフォロア６の先端部に折曲形成されたガイドピン部６Ｂは、フレーム部２Ａに設けられた穴（図示せず）を貫通してハートカム４Ｃのカム溝に係合する。
【００３６】
カード１１のコネクタ１に対する挿入と排出の操作では、まず、カード１１の一部がコネクタ１内に挿入されたフリー状態であり、カムフォロア６のガイドピン部６Ｂは、ハートカム４Ｃの出発点に位置する。次に、カード１１をコネクタ１内方向へプッシュし、カード１１の先端がスライダ部材４のカード当接部４Ｂに当接することによって、カード１１とスライダ部材４とが一体となって、コネクタ１内へ弾性部材５の圧縮力に抵抗しながら移動する。
【００３７】
続いて、カード１１を最大のストロークまでプッシュした後に、プッシュを中止すると、カード１１とスライダ部材４とは、弾性部材５の復元力によってわずかに戻される、ガイドピン部６Ｂは、ハートカム４Ｃのハート型の凹部に没入して位置する。以上で、カード１１の嵌合操作は完了する。
【００３８】
さらに、再び、カード１１を最大のストロークまでプッシュした後に、プッシュを中止すると、ガイドピン部６Ｂは、ハートカム４Ｃのハート型の凹部から脱出してスライダ部材４のスライド方向に対して平行なガイド部分を経て終着点すなわち出発点に至る。この際、カード１１とスライダ部材４とは、弾性部材５の復元力によってカード１１の排出操作を行う。
【００３９】
よって、実施例１及び２によって説明したスライダ部材４，４４は、図１２によって示したスライダ部材を実施例１及び２のスライダ部材４，４４の構成として採用することによって、カード１１、４５の排出が可能となる。
【００４０】
なお、図１２に示したコネクタ１の詳細な構成は、特開２００３−２０８９５２号公報に開示されている。
【産業上の利用可能性】
【００４１】
本発明のカード用コネクタは、ノート型パーソナルコンピュータや携帯端末などに搭載して用いられるものであり、メモリカードなどの小型のカードを機器に接続し、さらに機器からカードを排出する装置に適応される。
【図面の簡単な説明】
【００４２】
【図１】本発明に係るカード用コネクタを示し、カードが挿入されていない状態を示す斜視図である（実施例１）。
【図２】図１に示したスライダ部材を示す斜視図である。
【図３】図１のカード用コネクタにおいてカードが嵌合している状態を示す斜視図である。
【図４】図１に示したカード用コネクタの摩擦力、変形量を比較するための比較用としてのカード用コネクタの斜視図である。
【図５】図１に示した弾性部材と図４に示した弾性部材との変形量を比較するためのグラフである。
【図６】図１に示した弾性部材と図４に示した弾性部材との変形量を比較するためのグラフである。
【図７】本発明に係るカード用コネクタを示し、カードが嵌合している状態を示す概略平面図である（実施例２）。
【図８】図７に示したスライダ部材を示す斜視図である。
【図９】図７に示したカバー部材を示す斜視図である。
【図１０】図９に示したカバー部材を裏面から見た斜視図である。
【図１１】図７のカード用コネクタにおいてカードが排出している状態を示す概略平面図である。
【図１２】本発明のカード用コネクタに適用するカード用コネクタの一例を示した分解斜視図である。
【符号の説明】
【００４３】
１，４１    コネクタ
２，４２    インシュレータ
２Ａ，２Ｂ，２Ｃ    フレーム部
３，４３    コンタクト
４，４４    スライダ部材
４Ａ，４４Ａ    スライダ部
４Ａ１    カム部
４ｂ    段差面
４Ｃ    ハートカム
４Ｂ    カード当接部
５，５′    弾性部材
６    カムフォロア
６Ｂ    ガイドピン部
８，８′，４８    カバー部材
１１，１１′，４５    カード
２１，２１′，５１    押圧部材
２１ａ，２１ａ′，５１ａ    押圧部材の自由端部
６１    当接部
【図１】
2005268089.tif 000003
【図２】
2005268089.tif 000004
【図３】
2005268089.tif 000005
【図４】
2005268089.tif 000006
【図５】
2005268089.tif 000007
【図６】
2005268089.tif 000008
【図７】
2005268089.tif 000009
【図８】
2005268089.tif 000010
【図９】
2005268089.tif 000011
【図１０】
2005268089.tif 000012
【図１１】
2005268089.tif 000013
【図１２】
2005268089.tif 000014